Podtech/llm-jp-corpus-v4-ja_patent huggingface dataset:
(57)【要約】【課題】  今の電気自動車の弱点である充電時間の長さを短縮させる充電装置。【解決手段】  給電ケーブル１２、１３、１４につないだ給電口１、２、３から電気が送られる。そこでスイッチ４、５、６をＯＮにし、スイッチ７、８をＯＦＦにすると各セル９、１０、１１に通電され、充電する。運転時はスイッチ４、５、６をＯＦＦにし、スイッチ７、８をＯＮにすることによって電気が流れるようにする。【選択図】図１
2014003872.tif 000002
【特許請求の範囲】
【請求項１】
給電口を多くした電気自動車であって、給電口に給電ケーブルを各々つなぎ、各スイッチをＯＮ、ＯＦＦすることによってバッテリーの各セルに直接、通電することにより、充電する装置
【請求項２】
給電口を多くしたことに特徴があって、これで普通充電による急速充電が可能になり、従来の急速充電によるバッテリーの劣化を防ぐ。
【発明の詳細な説明】
【技術分野】
【０００１】  本発明は電気自動車、電気トラック等における充電方法に関するものである。
【背景技術】
【０００２】  今までの充電方法によれば、速く充電するためには急速充電器を使うしかなかった。しかし、これでは電池の劣化を招き、蓄電池の寿命が短くなる。よって長距離運転するトラックや旅行者は数回使っただけでバッテリーが傷み、自動車を買い直さなければならなくなる。【０００３】  電気自動車を昼使う場合、夜、普通充電で充電すれば良いと言っているが、忘れた場合困る。特に高齢者等の方にはその対策が必要である。【０００４】  バッテリーが傷んだ場合、新しい電池と交換すれば良いという声もあるが、それでは電気自動車ではなく電池自動車である。【０００５】  本願発明においては次の非特許文献を踏まえて述べていく。【０００６】
【非特許文献】  御堀直嗣著「図解入門よくわかる最新、電気自動車の基本と仕組み」株式会社、秀和システム  ２０１１年２月２５日発行
【発明の開示】
【発明が解決しようとする課題】
【０００７】  上述の如く、現状における電気自動車は問題が多い。一回の充電に八時間もかかるというのでは、いささか長いと思わずにはいられない。【０００８】  夜間電力で充電すれば良いというが、万一忘れた時は近くに電気スタンドがないと仕事にいけなくなる。【０００９】  本発明はこのような点を顧みて成されたものであり、その目的は充電時間の短縮を図るということである。
【課題を解決するための手段】
【００１０】  まず電気自動車のバッテリーを各セルごとに分割する。そして各セルごとに充電するのである。
【発明の効果】
【００１１】  電気自動車のバッテリーを各セルごとに分割し、その一セル、一セルごとに充電する。そうすることによってｎ個のセルに分割されたバッテリーの場合、満電になるまでの時間が１／ｎに短縮される。
【発明を実施するための最良の形態】
【００１２】  以下、本発明を図面に基づき説明する。【００１３】  まず、充電の仕方について述べる。【００１４】  給電口１、２、３から給電された電気はスイッチ４、５、６をＯＮにし、スイッチ７、８をＯＦＦにすることによって各セル９、１０、１１に届けられる。そうして各セルが満電、あるいは、ある一定の量になるまで充電される。【００１５】  つまり、本発明では給電口が２個以上あるのであり、そこへつなぐケーブルの数も給電口の数、ｎ個と同じ数、つまりｎ本でなければならない。【００１６】  したがって電気スタンド、または家ではｎ本の電気ケーブルを用意しておかなければならない。【００１７】  もちろん、このケーブルは急速充電のものではなく、普通充電のケーブルである。よってバッテリーの劣化がない。【００１８】  具体的に考えてみると８時間で満電になる電気自動車であれば、２本で４時間、４本で２時間、３２本で１５分で満電になる。【００１９】  次に運転時、つまり放電する場合だが、スイッチ４、５、６をＯＦＦにし、スイッチ７、８をＯＮにする。そうすることによってセル９、１０、１１がつながり、上手く放電ができ、電気がモーターに伝わって車輪が回り、車が動く。【００２０】  給電口は図２のようにボンネットにしてあるが、これは各自、自由である。とにかくバッテリーにつながれば良いのである。【００２１】  肝心のスイッチのＯＮ、ＯＦＦの仕方だがコンピューターにやってもらうか、手動でもかまわない。
【実施例】
【００２２】  以上、この発明の主要な部分を説明したが、ある程度の自由はある。つまり、電気ケーブルの数は自由にしておけば良く、充電時間が３０分でも構わないとすれば、電気ケーブルの数は１６本にしてもよい。
【図面の簡単な説明】
【００２３】
【図１】  本発明の電気自動車についての電子回路図である
【図２】  本発明に基づく充電中の電気自動車を斜め前から見た図である
【符号の説明】
【００２４】  １、２、３                  給電口
４、５、６、７、８          スイッチ
９、１０、１１              セル
１２、１３、１４、１５      電気ケーブル
１６                        電気供給機
１７                        電気自動車
【図１】
2014003872.tif 000003
【図２】
2014003872.tif 000004
(57)【要約】      （修正有）【課題】電線等を締め付けた後、余長部を切断しても飛ばず、切断口が人体に接触しない安全な結束バンドを提供する。【解決手段】結束するために帯体２の先端を頭部４に挿入してから引き出す側に、可撓性を有する挿入口７が付いた保護板５を設け、帯体の余長部を該挿入口に挿入し、該保護板と頭部の間の位置において余長部を切断することにより、挿入口の帯体出口が抵抗となり、余長部が飛ぶことを防止し、かつ切断口が人体に接触することも防止する。【選択図】図１
2014003874.tif 000002
【特許請求の範囲】
【請求項１】
長手方向に沿って列設された複数の歯を有する帯体部と、該バンドの一端にバンドを貫通させる頭部に挿通口と該挿通口内にバンドの引き抜きを阻止する爪が設けられた結束バンドにおいて、頭部の帯体引き出し側に可撓性を有する挿入口が付いた保護板が設けられていることを特徴とする結束バンド。
【発明の詳細な説明】
【発明の詳細な説明】
【産業上の詳細な説明】
【産業上の利用分野】
【０００１】  本発明は、例えば産業機器等の電気系統の電線等を束ねて縛る結束バンドに関するものである。
【背景技術】
【０００２】  従来は、頭部４に帯板２を入れ結束し、手で余長６を持ち切断ハサミ等で切っていた。
【発明が解決しようとする課題】
【０００３】  これは次のような欠点があった。
（イ）切断口が見えているので、人体に接触する危険性がある。
（ロ）作業姿勢の悪い所での片手作業は、結束した後の帯体２の余長部６を    つかまないで切断すると、余長部６が飛んで目に入ったりするので危険である。
【問題を解決するための手段】
【０００４】  頭部４帯体２引き出し側に可撓性を有する挿入口７が付いた保護板５を設けた結束バンドによって解決することができる。
【作用】
【０００５】  電線等に帯体２を巻き、頭部４と保護板５に付いた挿入口７に帯体２を挿入し締付け、切断ハサミ等で余長部６を切断すると、切断口が保護板５に隠れて安全に結束できる。
【実用例】
【０００６】  本発明の結束バンドは、頭部４を挿入口７の付いた可撓性を有する保護板５を設けた形状図１にすることにより、結束して余長部６を切断する際（図３参照）、切断ハサミ等で保護板５を押し撓ませて切断位置Ａ（図４参照）を切断することにより、保護板５の形状が復元し余長部６の切断口が保護板５に隠れる図７となる。
また図３は帯体厚みＬ寸法と挿入口７の帯体２出口側の寸法がほぼ同じにして帯体２と接触させることで抵抗を与えて、挿入口７の帯体２入り口側の寸法は帯体厚みＬ寸法より大きくして入りやすい勾配にした形状を表した図である。この形状により保護板５と頭部４の間の切断位置Ｂ（図５参照）で余長部６を切断すれば挿入口７の帯体２出口が抵抗となり、余長部６が飛ばないことを表したのが図５である。
それと頭部４に保護板５を設けたことにより、保護板面に文字や数字を記入可能な場所ができた。
【発明の効果】
【０００７】  本案は以上説明した様に余長部６の切断口を保護板５の中に隠してしまい、人体等に直接接触しないので安全であり、また切断後の余長部６が飛ばないので確実に回収でき掃除が楽になる。
【図面の簡単な説明】
【図１】  本考案の結束バンドの断面図
【図２】  本考案における締め付け状態の斜視図
【図３】  本考案における締め付け状態の詳細断面図
【図４】  余長部６の切断位置Ａの詳細断面図
【図５】  余長部６の切断位置Ｂの詳細断面図
【図６】  本考案における余長部６切断後の斜視図
【図７】  図６の余長部６切断後の詳細断面図
【符号の説明】１、      本発明の結束バンド
２、      帯体
３、      歯
４、      頭部
５、      保護板
６、      余長部
７、      挿入口
Ａ、      切断位置Ａ
Ｂ、      切断位置Ｂ
Ｌ、      帯体厚み寸法
【図１】
2014003874.tif 000003
【図２】
2014003874.tif 000004
【図３】
2014003874.tif 000005
【図４】
2014003874.tif 000006
【図５】
2014003874.tif 000007
【図６】
2014003874.tif 000008
【図７】
2014003874.tif 000009
(57)【要約】      （修正有）【課題】太陽光に頼らず、太陽光パネルが発電できる自立発光式発電装置を提供する。【解決手段】４隅にＬＥＤ電球３を組み込んだ枠２を持ち、枠２の内側をグラスファイバー板で接続し、グラスファイバー板を上下から太陽光パネル１で挟み込み、ＬＥＤ電球３に通電させることによりグラスファイバー板から太陽光に匹敵する光を導出することで太陽光パネルに発電させ、ＬＥＤ電球３に入力する電力より大きい出力電力を上下の太陽光パネルから得る。【選択図】図２
2014003178.tif 000002
【特許請求の範囲】
【請求項１】
４隅にＬＥＤ電球を組み込んだ枠を持ち、その内側をグラスファイバー板で接続し、上下から太陽光パネルで挟み込み、ＬＥＤ電球に通電させることによりユニット内部に太陽光に匹敵する光を発して、入力電力より大きい出力電力を上下の太陽光パネルから得る自立発光式発電装置。  
【発明の詳細な説明】
【技術分野】
【０００１】
本発明は、太陽光パネルとガラスファイバー、LED電球を組み合わせることにより、入力した電力より多くの電力を出力させる発電装置である。
【背景技術】
【０００２】
太陽光パネルを使用した発電装置は、太陽が出ている状態の時だけしか発電できなくて非常に不安定であり、非効率であった。
【０００３】
しかし、太陽光発電パネルは一定以上の光源（１ｋｗ/１平方メートル）があれば、自然界の太陽光を取り入れたと同一の発電が可能となる。
【０００４】
すなわち、太陽光パネル１平方メートル当たりの面に１KWの光源を与えれば、自然の太陽光を受けているのと同じ状態を作り出す事となり、１平方メートルの太陽光パネルから約１５０W/H（現在の太陽光パネルのモジュールあたりの平均値）の出力電力を得ることが可能である。
【０００５】
このことから１KWの光源があれば、１平方メートルは１KW相当（自然界の太陽の地面の明るさ）のルックスを得る事ができ、１平方メートルの太陽光パネルから安定的に約１５０W/Hの太陽光発電を行うことが可能となる。    
【０００６】
一例として、１０ｍ四方のガラスファイバーの板の端面４つにそれぞれ計２，５ＫＷのＬＥＤ電球を配置して（総合計１０ＫＷ）、上下面に１ｍ四方の太陽光パネルを縦横１０個ずつ、計１００モジュールを上下に取り付け（計２００モジュール）、ＬＥＤ電球に必要電力を送る。（図２）
【０００７】
白熱電球に比べてＬＥＤ電球は１/８程度の電力消費で良いので、この時の必要電力は１２５０Ｗである。一方、太陽光パネルは１モジュール当たり１５０Ｗを出力するので、２００モジュールの場合、３０，０００Ｗが出力される。この差２８、７５０Ｗが出力電力として得ることができる。
【０００８】
一度、ＬＥＤ電球に送電をして内部を１０ＫＷ相当の明るさにすれば、以後は自己の発電装置が起こした電力でＬＥＤ電球を点灯し、２８，７５０Ｗを発電し続ける。  
【先行技術文献】
【非特許文献】
【０００９】
【非特許文献１】産業技術総合研究所  太陽光発電研究センター著  「トコトンやさしい太陽電池の本」日刊工業者出版  ２００７年
【発明の概要】
【発明が解決しようとする課題】
【００１０】
解決しようとする問題点は、太陽光パネルが自然の太陽光に頼らず、他のエネルギーを使用しないで永続的に発電するところにある。
【発明の効果】
【００１１】
本発明の自立光式発電装置は、それ自身が起こす電力で光（１KW/１平方メートル）を作り出し、自然の気候、時間に関係なく発電をし続け、パネルやLED電球で持続的に電力を自給自足できるようになる。
【図面の簡単な説明】
【００１２】
【図１】図１は組み合わせたユニットの上面図である。
【図２】図２は組み合わせたユニットの正面断面図である。
【図３】図３は数個のユニットを具体的に組み合わせたものである。
【符号の説明】
【００１３】
１    太陽光パネル
２    グラスファイバー
３    ＬＥＤ電球
【図１】
2014003178.tif 000003
【図２】
2014003178.tif 000004
【図３】
2014003178.tif 000005
(57)【要約】【課題】イヤホンおよびヘッドフォン装着者の交通事故を抑止するために、小型かつ最小の部品点数で同装着者の存在や意思を周囲から目視可能とすること。【解決手段】イヤホンおよびヘッドフォンに高照度発光素子１を備え、イヤホン端子に繋いだ電子機器からの電源を利用し照度センサー２ないしスイッチ３の操作により発光素子１を発光させることで、本発明装着者の存在を外部にアピールし、本発明装着者の存在や意思が周囲から目視可能となることで、装着するだけで特に夜間の交通事故抑止につなげる。【選択図】図１
2014003458.tif 000002
【特許請求の範囲】
【請求項１】
イヤホンおよびヘッドフォンに高照度発光素子を備え発光させることで、本発明装着者の存在を外部にアピールし、本発明装着者の存在や意思が周囲から目視可能となることで、装着するだけで特に夜間の交通事故抑止につながることを特徴とするイヤホン。
【発明の詳細な説明】
【技術分野】
【０００１】
本発明は、交通事故抑止機能を有したイヤホンに関するものである。
【背景技術】
【０００２】
従来のイヤホンには、着信表示機能を施したものがある（例えば、特許文献1参照。）。また、拍計や体温計を実装し体調管理機能を施したものがある（例えば、特許文献2参照。）。
【先行技術文献】
【特許文献】
【０００３】
【特許文献１】特開平１０−３２７２２３
【特許文献２】特開２００８−１３６５５６
【発明の概要】
【発明が解決しようとする課題】
【０００４】
イヤホンおよびヘッドフォンを装着することで、外部音に対する注意力が弱くなり、非装着時に比べ交通事故が発生しやすくなる点である。
【０００５】
昨今の健康志向の高まりから、夜間や早朝にイヤホンないしヘッドフォンで音楽を聞きながらジョギングないしサイクリングをする人が増えている点である。
【０００６】
イヤホンおよびヘッドフォンに、交通事故を抑止する機能を有したものがない点である。
【課題を解決するための手段】
【０００７】
本発明は、イヤホンおよびヘッドフォンに高照度発光素子を備え発光させることで、本発明装着者の存在を外部にアピールすることを最も主要な特徴とする。
【発明の効果】
【０００８】
本発明のイヤホンは、左右のスピーカー外側に設置した高照度発光素子が自動ないし手動で発光することで、本発明装着者の存在や意思が周囲から目視可能となるので、装着するだけで特に夜間の交通事故抑止につながるという利点がある。
【図面の簡単な説明】
【０００９】
【図１】本発明の実施方法を示した外面図である（実施例１）
【図２】本発明の実施方法を示した側面図である（実施例2）
【図３】本発明の実施方法を示した耳に装着する図である（実施例3）
【発明を実施するための形態】
【００１０】
可能な限り周囲から目視可能となる位置から発光素子を高照度で発光するという目的を、小型かつ最小の部品点数で、イヤホンないしヘッドフォンの形態を損なうことなく実現した。
【実施例】
【００１１】
以下、本発明の実施形態について説明する。
図１は、本発明の実施方法を示した外面図であって、１〜４ないし６〜８は、図２、図３と同様である。
【００１２】
図２は、本発明の実施方法を示した側面図である。
【００１３】
図において、１は高照度ＬＥＤなどの省電力の高照度発光素子であり、イヤホン端子に繋いだ電子機器からの電源を利用し点滅する。
【００１４】
図において、２は照度センサーであり、人間が暗いと感じる所で発光素子に通電したり，逆に明るいと感じる所で非通電にしたりを自動で行う機能を機器に持たせるものである。ただし、耳に髪がかかる人の場合は誤動作をするおそれがあるため、後述の３にて手動操作に切り替えることができるものとする。
【００１５】
図において、３は１の発光パターンを操作する装置である。自動モードと手動モードの２つのモードがあり、自動モードでは図における２により自動で左右両方の発光素子へ同時に通電、非通電が行える。手動モードでは、手動で左右両方の発光素子へ同時に通電、非通電の切り替えが行える。
【００１６】
図において、４〜７は一般的なカナル型イヤホンの構成部品である。ヘッドフォンの場合も図における１〜３は同様とする。
【産業上の利用可能性】
【００１７】
手動モードにて左右一方だけの通電を行えるようにすると、簡易の方向指示器としての用途にも適用できる。
【００１８】
手動モードにて点灯を行えるようにすると、簡易のライトとしての用途にも適用できる。
【符号の説明】
【００１９】
１  高照度発光素子
２  照度センサー
３  発光パターン切り替えスイッチ
４  イヤーピース
５  イヤーピースとスピーカーをつなぐ管
６  スピーカー内蔵ケース
７  配線
８  （省略マーク）
【図１】
2014003458.tif 000003
【図２】
2014003458.tif 000004
【図３】
2014003458.tif 000005
(57)【要約】【課題】果実の収穫にあたり、害獣からの果実への被害を最小減に抑え、安定した果実の収穫を行なえるようにする。【解決手段】ベルト1に、締まる輪2を取り付け、ベルト1の両端をバックル3を使用して果樹の主枝などに留める事で、狸などの害獣を木に登れなくする。【選択図】図１
2014113084.tif 000002
【特許請求の範囲】
【請求項１】
紐帯状のものに罠を固定をし、紐帯状の部分を果樹の主枝等に取り付け可能な、罠を利用した害獣駆除の仕掛け。
【発明の詳細な説明】
【技術分野】
【０００１】
本発明は、果樹の主枝などに取り付ける罠であり、果樹の木に登り、果実を食い荒らす狸などの動物を木に登れなくするものである。
【背景技術】
【０００２】
害獣捕獲用の道具の存在はあるものの、地面に仕掛けるものであって、害獣は簡単に罠を避けて通る事ができ、罠にかかる事は稀である。本発明は、捕獲を目的としたものではなく、果実などの被害の防除を目的としているものであり、果樹の木に登る動物からは確認をしやすい罠になっている。
【発明の概要】
【発明が解決しようとする課題】
【０００３】
果樹の木に登り、果実を食い荒らしたり、果樹の木を傷めたりする狸などの動物を果樹の木に登れなくし、害獣による果樹の木や果実への被害をなくす。
【課題を解決するための手段】
【０００４】
害獣の通り道となる果樹の主要部すべてに罠を仕掛ける事で、狸などの動物は確実に果樹の木に登れなくなる。尚、罠を動物によく見える場所に仕掛ける事により、警戒心を煽られた動物は果樹の木に登らなくなる。
【発明の効果】
【０００５】
本発明は、害獣が果実を採る為に必ず通らなくてはならない主要部に罠を仕掛ける事ができ、狸などの動物による果実への被害の防除は確実にできる。動物に罠の確認が容易に出来る事で、本発明を使用しての動物の捕獲は困難であるが、本発明の実施後は、動物は木に登らなくなり、果実を食い荒らす事もなくなった。
【図面の簡単な説明】
【０００６】
【図１】図１は、本発明を果樹の木に取り付けた姿図である。
【図２】図２は、罠となる輪２をベルト１に取り付け、本発明を実施する以前の図である。
【発明を実施するための形態】
【０００７】
本発明は、ベルト１に、輪２の直径を８センチメートルから２０センチメートルの大きさとした輪２の端を、ベルト１に５センチメートル以内の間隔で４箇所以上に留め、ベルト１の両端をバックル３で果樹の主枝にずれ動かなくように取り付ける。本発明の仕掛けにより、狸などの動物は果樹の木に登る事ができなくなり、害獣による果実への被害は防除できるものである。
【実施例】
【０００８】
ベルト１は、収縮可能なもので、果樹の肥大にも、本発明は、主枝や他の枝なども傷める事なく実施が可能である。罠の取り付けはベルト１を主枝などに巻いて両端をバックル３で留める。
【０００９】
ベルト１には、複数の輪２を取り付けてあり、図１の様に主枝などにベルト１を巻いてバックル３で留める。尚、狸などの動物は、輪２の中を通らなくては果樹の木に登れないように罠を仕掛ける。
【００１０】
輪２の中を狸などの動物が通ると、輪２に足や胴などが絡み輪２が締まり、果樹の木に動物は登れなくなる。尚、本発明は、複数並べて取り付ける事が可能であり、罠を強固なものとする事で、罠を越えて通るような、学習のできた動物に対する罠の仕掛けも容易であり、害獣による果樹の木や果実への被害は防除できる。
【符号の説明】
【００１１】
図２で、１はベルトであり、２は輪であり、３はバックルである。
【図１】
2014113084.tif 000003
【図２】
2014113084.tif 000004
(57)【要約】【課題】本発明はネギやゴボウ、大根といった重くて長い野菜を持ち帰るときバッグから突出した部分をバッグ本体の２本の持ち手以外の紐状の持ち手で重心をバランスよく安定させ、安心して持ち帰ることが出来るようにした収納能力、運搬能力を向上させた買い物バッグである。【解決手段】従来からあるショッピングバッグ本体側面に本体と同型、同長の紐状の持ち手がついた同等大のポケットを設けた。あるいは本体と同型、同長の紐状の持ち手も付いた本体側面を二重とした。これにより本体と同型、同長の紐状の持ち手が複数あり、開口部も複数で袋室も複数の収納運搬能力が向上したエコバッグを提供することが出来た【選択図】  図１
2014113398.tif 000002
【特許請求の範囲】
【請求項１】
バッグ本体側面に本体と同型、同長の紐状の持ち手がついた同等大のポケットを設けた。あるいは本体と同型、同長の紐状の持ち手の付いた本体側面を二重とした。本体側面に設けられた開口袋部の最上部付近に本体と簡易結合できる面ファスナー及び簡易固定できるものを装着し本体と同型、同長の持ち手部の未使用時はポケット内部に収納できる形態とした。素材はナイロン、ポリエステル等柔軟で軽い素材が適しており持ち手部は持ちやすいことを目的とした形状と長さにする。
【発明の詳細な説明】
【技術分野】
【０００１】
本発明は、スーパーマーケット等での買い物時に使用する買い物バッグに於いて、パンや油揚げ等柔らかい食品とネギやゴボウ、大根といった重く、長い食品を入れ易く、安定して運べることを特徴とした収納運搬能力を向上できた買い物バッグに関するものである。
【背景技術】
【０００２】
従来からある小さくたためるエコバッグは軽くて柔らかく、収納し易く、持ち運びに便利なことが特徴とされ使用頻度の高いものとなっている。そして持ち手が２本のものが多く、又、側面に設けられたポケットに於いては車の鍵やメモなどが入る程度の大きさで開口部を面ファスナー等で結合していたものが多かった。
【先行技術文献】
【特許文献】
【０００３】
【特許文献１】特許公開平１０−１９２０２５
【特許文献２】特許公開平１０−３０４９２２
【特許文献３】特許公開２０１１−２３４８８８
【特許文献４】特許公開２０１１−０６２４０９
【特許文献５】特許公開２００９−１４８５１５
【特許文献６】実用新案登録３１５０７４５
【特許文献７】実用新案登録３１４７１２５
【特許文献８】実用新案登録３０８６３５８
【特許文献９】実用新案公開平６−８７２４３
【特許文献１０】特表２００８−５１７７３５
【発明の概要】
【発明が解決しようとする課題】
【０００４】
仕事帰りやお出かけ帰りにスーパーに寄って買い物をする際、コンパクトに畳めるエコバッグは軽く、柔らかく持ち運びしやすいのでバッグの隅に入れ易く重宝なのだがナイロンやポリエステルなどの柔らかい素材で出来ていることが多い為食品を収荷して持ち上げようとすると重心が底中央部に集中し、重い物や長い物（大根、ねぎ、ごぼう）が柔らかいパンや油揚げをつぶしてしまうことが多々あった。又、突出した長い野菜等は重心を崩してバランスが取りにくく開口部周辺でダラッとなり落ちそうになることも多く、結果、空いた方の手で別に持ち帰ることも往往に見受けられた。
【課題を解決するための手段】
【０００５】
バッグ本体側面に本体と同型、同長の紐状の持ち手がついた同等大のポケットを設けた。あるいは本体と同型、同長の紐状の持ち手も付いた本体側面を二重とした。これにより本体と同型、同長の紐状の持ち手が複数あり、開口部が複数で袋の部屋あるいはポケットが複数のエコバッグが提供できる。
【発明の効果】
【０００６】
開口部及び、袋室（ポケット）が複数あることによりパンや油揚げなど柔らかくつぶれやすい物と重くて長い大根や長いも等の食品を区分して収荷できる。又、長い物はバッグ開口部から突出しているため開口部周辺が重み等でダラッとなりやすく、滑り落ちしやすいこともあったが３本目の紐状の持ち手を使用することにより開口部から突出した重心をバランスよく支えることが出来、安定確保ができた。したがって不安定な持ち運びは解消され安心して持ち運ぶことが出来るようになった。持ち手の長さや素材が本体と同じなので持ちやすく違和感がなく３本目あるいは４本目の持ち手の効果は大である。又、製造においても同型、同長、同種の物を重ね縫い合わせるということで新たな機械や材料を必要とせず安価に新製品ができる可能性が高い。側面が二重になる為しっかりした製品に仕上がるが柔軟な素材と軽くコンパクトに畳めることに従来物と大きな相違が出ることはない。
【図面の簡単な説明】
【０００７】
【図１】実施例として・持ち手が３本あるエコバッグの斜視図
【図２】図１の３本目の持ち手収納時斜視図
【発明を実施するための形態】
【０００８】
バッグ本体側面に本体と同型、同長の紐状の持ち手がついた同等大のポケットを設けた。あるいは本体と同型、同長の紐状の持ち手が付いた本体側面を二重とした。本体側面に設けられた袋開口部（本体と同等大のポケット）の最上部付近に本体と簡易結合することのできる面ファスナーあるいは簡易固定できるものを設けた。本体と同型、同長の紐状の持ち手部の未使用時はポケット内部に収納できる形態とした。
【実施例】
【０００９】
図１は本発明の実施例で持ち手が３本の斜視図である。本体側面と同型、同長の紐状の持ち手も付いたポケット、あるいは本体側面片側と同一の物を二重としたバッグである。
【００１０】
本発明は実施例として持ち手を複数としているが４本までを理想とする。
【００１１】
買い物をした種類に応じて必要なだけの持ち手を使用し、不必要時は図２の様にポケット及び（袋部）に収納したまま使用する等応用が利く。本体の素材はポリエステル、ナイロン、及びコットン等、軽量、軟質、強丈な物でコンパクトに畳みやすいものとする。
【符号の説明】
【００１２】
１.一例の持ち手３本のバッグ本体側面部
２.一例の持ち手３本のバッグ本体側面部（仕切り部）
３.一例のバッグ本体と同等大のポケット又は本体と同一の側面。
４.一例のバッグ本体の持ち手
５.一例のバッグポケット部の３本目の紐状の持ち手。
６.バッグ本体と同一側面を簡易結合する面ファスナー及びそれと同種の結合部
７.一例の本体・袋部.1 
８.一例の袋部（ポケット）2
【図１】
2014113398.tif 000003
【図２】
2014113398.tif 000004
(57)【要約】【課題】    読書時に、ページ捲るするのに指の滑りによる悩みを除去するため自動的に、ページ両面を捲るやすくする両面捲る器具を提供する。【解決手段】    半回転の操りハンドル内に、上端楕円形状の長短二本の指器からなる、曲がりくねりの人指す器と、拇指器を互い違いに設け、前記両指器の上端部に、薄手スポンジを巻き状に固着し、滑り止めサックを嵌めた両面捲る体を構成し、操りハンドル操作により、自動的にページ捲るすることを特徴とするロボット式両面捲る器具。【選択図】図１
2014113815.tif 000002
【特許請求の範囲】
【請求項１】
半回転の操りハンドル内に、上端楕円形状の長短二本の指器からなる曲がりくねりの人指し器と、拇指器を互い違いに設け、前記両指器の上端部に、薄手スポンジを巻き状に固着し、滑り止めサックを嵌めた、両面捲る体を構成し、操りハンドル操作により、自動的にページ捲るすることを特徴とするロボット式両面捲る器具。
【発明の詳細な説明】
【技術分野】  本発明は、読書時にページ捲るをするのに指の滑りと、両拇指の数枚重ね捲るによる悩みを除去するため自動的に、ページの両面を捲るやすくするロボット式両面捲る器具を提供する。
【背景技術】
【０００１】  従来読書するのに滑り止め防止として常時ゴム指輪を嵌め込みしている姿が多く見受けられ、また、指に唾液をつけたり、水に濡らして滑り止めをしていた。
【発明の概要】
【発明が解決しようとする課題】
【０００２】  そのために、次のような問題点があった。
（イ）注意書きに、ゴム指輪のサイズが合わない状況で、長時間使用すると血液の流れが悪くなり注意を要するとある。また、かゆみや、かぶれ、などを生ずるので、ゴムによるアレルギー性の人は、使用を禁止する。また、次の注意書きには、症状が改善しない場合、医師に相談して下さいとまである危険性の高い品質であることが明記されているのである。
（ロ）皮膚が乾燥して、かゆみのために通院している高齢者には、指の滑りによる本の汚れと、傷むのが特に多く、貸し本屋に断わられ、読書を諦めている重症者も数多く存在しているのである。
本発明は、以上の問題点を解決するためになされたものである。
【課題を解決するための手段】
【０００３】  半回転の操りハンドル内に、上端楕円形状の長短二本の指器からなる曲がりくねりの人指し器と、拇指器を互い違いに設ける。前記両指器の上端部に薄手のスポンジを巻くように固着し、滑り止めサックを嵌めた、両面捲る体を構成し、操りハンドル操作により自動的にページ捲るをする。以上を特徴とするロボット式両面捲る器具である。
【発明の効果】
【０００４】  上述したように両面捲る器具本体は、読書中に誰しもが経験している。指の滑りによる、不快感を除去するために、指捲るすることなく効果ある捲る器具本体の半回転ハンドル操作により、自動的にページ捲るすることができ、今後の、愛読者増加の見込みが期待できる効果がある。
【図面の簡単な説明】
【０００５】
【図１】  本発明の斜視図
【図２】  本発明の使用状態を示す側面図
【発明を実施するための形態】
【０００６】  以下、本発明の実施の形態を発明する。
（イ）捲り体（３）と（３Ａ）の上端部に、巻きつけスポンジ（４）を固着し、滑り止めゴムサック（５）を嵌め込みして設ける。
（ロ）楕円形状にした人指し器（１）の上端部を、更に内側に曲げ、裏面捲り体（３）を設ける。
（ハ）拇指器（２）も上記同様に上端部に、楕円形状の片面捲り体（３Ａ）を設ける。
（ニ）円筒形の操りハンドル（６）内に、人指し器（１）と、拇指器（２）を互い違いに設ける。
本発明は、以上の構成によりなっている。
本発明を使用するときは、上記の両面捲る器具の、拇指器（２）の捲る体（３Ａ）を、ページ端の片面に当て、操るハンドル（６）を半回転始動すると同時にページ紙面が捲る上り、連動して人指し器（１）が裏側面に回転して、楕円形状の捲る体（３）を、稍、内側面に曲げ形成するにより、速、裏面を押え紙質に拘らず、両面捲るを自動的に発揮するものである。
したがって、書籍（７）捲るの操り操作方法として、右ページを左方向へ捲るには、拇指器（２）を上方に向け、稍片面を押すと同時に自動的に片面が捲る上り、人指し器（１）を裏面に入りやすくする。また、左ページを右方向へ捲るには、前記と異なりページを下方へ、稍、引くことにより前記同様の効果を発揮するものである。また、左右ページ捲るには、左ページ押さえとして、左手拇指を必要とするものである。
【符号の説明】
【０００７】１    人指し器
２    拇指器
３    裏面捲る体
３Ａ  片面捲る体
４    スポンジ
５    ゴムサック
６    操りハンドル
７    書籍
【図１】
2014113815.tif 000003
【図２】
2014113815.tif 000004
(57)【要約】【課題】スライド部を有した布団干し具で、布団台を支持部へ収納せずにスライド部から外せるようにする。【解決手段】布団台とスライド部に嵌合部を設け、布団台を着脱自在にする。【選択図】図１
2014113430.tif 000002
【特許請求の範囲】
【請求項１】
布団台（１）とスライド部（２）に嵌合部を設け、布団台（１）をスライド部（２）に着脱自在にした布団干し具
【発明の詳細な説明】
【技術分野】
【０００１】本案はベランダの布団干し具に関するものである。
【背景技術】
【０００２】従来、スライド部に布団台を乗せて布団干しをする布団干し具はなかった。
【先行技術文献】
【特許文献】
【０００３】
【特許文献１】特許公開  ２００６−４３０７０
【特許文献２】特許公開  ２００１−１７７９６
【発明の概要】
【発明が解決しようとする課題】
【０００４】スライド部を有した布団干し具で、布団台をスライド部から外せるようにした布団干し具。
【課題を解決するための手段】
【０００５】布団台（１）と、スライド部（２）に嵌合部を設け、布団台（１）を着脱できるようにする。
【発明の効果】
【０００６】本案の布団干し具は布団台を持ち運びができるため家の中など他の場所に収納できる。
【図面の簡単な説明】
【０００７】
【図１】本案の概略斜視図である。
【図２】本案のスライド台の側面図である。
【図３】本案のＡの拡大図である。
【図４】本案のスライド台の正面図である。
【発明を実施するための形態】
【０００８】スライド部（２）に布団台（１）を乗せ前後に滑らせるようにした布団干し具に関するものである。本案の布団台（１）の摺動部分はスライド部（２）だけで、縦の支持部（３）には設けずに布団台（１）をスライド部（２）から外して家の中など他の場所へ持っていけるようにした布団干し具である。ただ、摺動部分はないものの布団台（１）を支持部（３）に収納もできるようにした布団干し具である。
横のスライド部（２）と縦の支持部（３）はＬ型の部材とし、支持部（３）は向きを変えてスライド部（２）に固定し一体とする。布団台（１）の二本の補強材（４）の間隔に合して支持部（３）を二本ベランダの壁（１３）に固定する。壁（１３）の上からスライド部（２）を外へ壁（１３）とほぼ直角方向にし、支持部（３）をベースに着けて壁（１３）の内側に固定する。スライド部（２）の先にコの字型の枠（６）を固定し、補強材（４）の中ほどにこの枠（６）の中に緩めに入るように鉤型のガイド（５）を固定する。支持部（３）の上方と補強材（４）の後方よりにピン穴（７）をあける。補強材（４）には先方にもあける。スライド部（２）の後方よりに鉤型のストッパー（８）と布団台（１）の横揺れ防止の当て（１０）を固定する。補強材（４）の上面にこのストッパー（８）の鉤が入る長短の溝（９）をあける。布団台（１）の後端にストッパー（１１）を固定する。
使用するときは布団台（１）をスライド部（２）へ平らに乗せストッパー（８）の鉤を長い溝（９）に入れ滑らせてガイド（５）を枠（６）の中へ入れた後、布団を広げ布団押さえを取り付けピン穴（７）を合わしピンを差す。
使用後、布団を取り上げた後ガイド（５）と鉤をそれぞれ外し布団台（１）を持ち上げる。布団台（１）を他の場所へ持っていかずに支持部（３）に収納するときは下の受け台（１２）に乗せ補強材（４）の先方のピン穴を角のピン穴（７）に合わす。
以上であるが、スライド部（２）から布団台（１）を外せるようにした本案のスライド部（２）はＬ型の部材に限らずレール状のものでも丸棒状のものでもよく、ガイドが外れるまで布団台を引き寄せ、そして持ち上げる。また、ピン穴（７）は設けずにガイド（５）と枠（６）の嵌合部を複数にしてもよく、この場合係止部を設けて少々の風では抜けないようにする。
以上のスライド式とは全く異なりスライド部（２）を支持部（３）とＴ型に固定し、この上に布団台（１）を固定してもよく、底の網は着脱できるようにしてもよい。
【符号の説明】
【０００９】１  布団台
２  スライド部
３  支持部
４  補強材
５  ガイド
６  枠
７  ピン穴
８  ストッパー
９  溝
１０  当て
１１  ストッパー
１２  壁
【図１】
2014113430.tif 000003
【図２】
2014113430.tif 000004
【図３】
2014113430.tif 000005
【図４】
2014113430.tif 000006
(57)【要約】      （修正有）【課題】両手を同時に使うことでレモンやオレンジの果汁を楽に絞れ、また搾り取った果汁から不要な種粒や薄皮を自動的に分離し、果汁のみを直接採取できるコンパクトな果汁絞り器を提供する。【解決手段】絞り器１の先端に果実を砕く刃２，３を設け、その後方に果汁のみを落とし込む小穴５を設けたことを特徴とする果汁絞り器。【選択図】図１
2014113428.tif 000002
【特許請求の範囲】
【請求項１】
スプーン状または半円断面の果汁取込み器と、その先端部の周辺部および中央部に凹凸の刃を設け、果汁取込み器の底部に小穴を設け、最後部に取手を設けたことを特徴とする果汁絞り器。
【発明の詳細な説明】
【技術分野】
【０００１】  本発明は、柑橘類の果汁を採取する果汁絞り器に関するものである。
【背景技術】
【０００２】  従来、レモンやオレンジなどの果汁は、鉛直に立てた凹凸形状の突起にレモン・オレンジなどの切り口を押し付けながら回転させて、種粒の混じった果汁を搾り取る形式（特許文献１，２，３参照）または種粒を除去する形式（特許文献４参照）、更に果実を容器内に入れて果汁を採取する方法（特許文献５参照）もある。
【先行技術文献】
【特許文献】
【０００３】
【特許文献１】特開２００６−０８１５６７号公報
【特許文献２】特開２００３−１００４０号公報
【特許文献３】登録実用新案第３０９７２１０号
【特許文献４】登録実用新案第３１１０４４３号
【特許文献５】登録実用新案第３０５８１１５号
【発明の概要】
【発明が解決しようとする課題】
【０００４】  レモンやオレンジの果汁を絞る場合、片手のみで絞る方法は必要な力を片手に集中させる必要があり疲れる作業である。更に採取した果汁には種粒や薄皮（袋）が混入しやすく、果汁を使用する前にそれらを取り除かなければならない。本発明は以上の問題点を同時に解決するものである。
【課題を解決するための手段】
【０００５】  上記問題点を解決するため本発明は、絞り器の先端に果実を砕き果汁を絞り取る細かな突起を設け、スプーン状の底に果汁のみを落下させる穴を開け、絞り器の取手は、握りながら回転・反転を容易にするために取手を太目にし、絞り器の材質は全て丈夫な金属製のシンプルな構造にしたものである。
【発明の効果】
【０００６】  一方の手で切断した果実を押え、他方の手で絞り器の取手を握り、水平方向に押しながら両手を時計回り乃至反時計回り交互に回転させて果汁を絞る方式であり、片手のみの負担を掛けず比較的楽に果汁を絞ることを可能にしている。絞りだされた種粒や袋などの薄皮混じりの果汁は、絞り器に穴（スリット）を設けることにより自動的に分離され、果汁のみが下に置かれたグラスなどの器に直接採取される特徴がある。
【図面の簡単な説明】
【０００７】
【図１】本発明の斜視図
【図２】本発明の他の実施例図
【発明を実施するための形態】
【０００８】  以下、本発明の実施の形態を説明する。
（イ）果汁絞り器（１）の先端にスプーン状の果汁取込器（４）を設け、その後方に取手（６）を取り付ける。
（ロ）果汁取込器（４）の先端に凹凸の外周刃（２）をまた中心には垂直に凹凸の中央刃（３）を設ける。
（ハ）果汁取込器（４）の底部に果汁落下穴（５）を貫通させる。
本発明は以上のような構造である。
本発明を使用する時は、まず切断されたレモン・オレンジなどと果汁採取用の受皿を準備する。片方の手で切断された果実を持ち、もう一方の手で果汁絞り器（１）の取手（６）を握り、果汁取込器（４）の先端にある外周刃（２）や中央刃（３）を果汁切断面に押し付けながら取手（６）を繰り返し両方の手を左右に４５度程度交互に回転させる。
上記絞り作業を継続する傍ら、流れ出てくる種粒や薄皮混じりの果汁を果汁取込器（４）に集め、果汁落下穴（５）を通して準備してある受皿に採取する。種粒や薄皮などは果汁落下穴（５）を通過できず、フルイにかけられた状態で果汁取込器（４）内に留まるため、それらがある程度たまった段階で時々果汁取込器（４）から除去する。
【符号の説明】
【０００９】  １果汁絞り器、２前面刃、３中央刃、４果汁取込み器、５果汁落下穴（スリット）、６取手
【図１】
2014113428.tif 000003
【図２】
2014113428.tif 000004
(57)【要約】      （修正有）【課題】スライド部と収納部を有した布団干し具に於いて、収納された布団台を取り出しもでき、そこに収納もできるようにする。【解決手段】二本の丸棒製のスライド台２を適した半径で曲げて水平のスライド部と鉛直の収納部を形成し、布団台１の二本の補強材４の間隔に合わせた配置で、前記収納部を立て板３及びベースでベランダ壁の内側に固定し、内部にリング６を有するコの字型枠状のガイド５の上に台９を固定すると共に、リング６をスライド台２に通して台９に接続した布団台１を摺動できるようにし、スライド台２の両端部にストッパー７及び１０を設けて、収納部に布団台１を摺動させ、ストッパー１０にガイド５が当接した位置で布団台１の取出しができるようにする。【選択図】図３
2014113425.tif 000002
【特許請求の範囲】
【請求項１】
収納部の摺動部分をストッパー（１０）からガイド（５）幅より少し上までにして布団台（１）を収納部から取り出しもでき、あるいはこれに布団台（１）の係止部を設け、そのままそこに収納もできるようにした布団干し具。
【発明の詳細な説明】
【技術分野】
【０００１】この発明はベランダの布団干し具に関するものである。
【背景技術】
【０００２】従来、マンションのベランダでの布団干しは日陰が多いため布団に日光が当たるのは少しであったり、また、日当たりの時間も短かった。そのため日光を多く当てようとするには壁に掛けるしかなかったが、しかしこれでも日当たりは布団全面の半分ぐらいであった。ただ、公報文献には日当たりが多いものがあるが平らで全面にとまではならないようである。
【先行技術文献】
【特許文献】
【０００３】
【特許文献１】特許公開  ２００６−４３０７０
【特許文献２】特許公開  ２００１−１７７９６
【発明の概要】
【発明が解決しようとする課題】
【０００４】マンションのベランダでの布団干しは日当たりが少なく、これを解消するため布団を広げて全面に日光が当たるようにする。
【課題を解決するための手段】
【０００５】布団を広げて乗せる布団台（１）と、この布団台（１）を乗せるスライド台（２）に布団台（１）を前後に移動する機構を設け、布団台（１）をベランダ壁の上から目当たりのよい外側へ出す布団干し具にする。
【発明の効果】
【０００６】本案の布団干し具では布団の平らな全面に日光が当たるようになる。
【図面の簡単な説明】
【０００７】
【図１】本案の概略斜視図である。
【図２】本案のスライド台の正面図である。
【図３】本案のスライド台の側面図である。
【図４】布団押さえ
【発明を実施するための形態】
【０００８】スライド部に布団台（１）を乗せ前後に滑らせるようにした布団干し具に関するもので、本案は布団台（１）を収納部へ滑らした後、取り出して家の中など他の場所へ持っていってもよく、そのままそこに収納してもよいようにした布団干し具である。スライド台（２）は丸棒製とし、適した半径で曲げて横のスライド部と縦の収納部を形成する。二本のスライド台（２）は布団台（１）の二本の補強材（４）の間隔に合して固定する。ベランダの壁（２０）の上からスライド部を外へ壁（２０）とほぼ直角方向にし、縦の収納部を立て板（３）、ベース（１９）に着けて壁（２０）の内側に固定する。リング（６）をコの字型の枠の中に固定したガイド（５）の上に台（９）を固定する。ガイド（５）をスライド部に通し補強材（４）の中ほどに取り付け、布団台（１）を摺動できるようにする。布団台（１）を収納部へ滑らすときガイド（５）が立て板（３）を通過するようにリング（６）の立て板（３）に当たる箇所を切り取る。先端に突起（８）を設けたストッパー（７）をスライド部の先の方に、収納部のストッパー（１０）をベース（１９）にそれぞれ固定する。収納部の丸棒はこのストッパー（１０）からガイド（５）幅より少し上の位置までとし、布団台（１）の取出しができるようにする。このストッパー（１０）にはガイド（５）が当たったとき布団台（１）がずれ落ちないように突起を設ける。補強材（４）の先端部と後方よりに数個ピン穴（１３）、（１４）をあけ、（１４）の下は一部突き出してピン穴（１５）をあける。ベース（１９）の取り付け台に長支持部（１１）、短支持部（１２）を取り付け、先のほうにピン穴をあける。布団台（１）をスライド部で平らにするときは長支持部（１１）のピン穴と補強材（４）のピン穴（１４）を合わしピンを通す。前傾にするときはピン穴（１５）に合わす。収納部の布団台（１）を取り出さずにそのままそこへ収納するときは短支持部（１２）と補強材（４）の先端のピン穴（１３）にピンを通す。布団台（１）は前後の枠に枠穴（１６）を数個あけ、底は網状にする。布団押さえ（１７）にパイプを用い、手前の枠穴（１６）にねじ部（１８）を設けボルトを締めてパイプの中へ入れ外れないようにする。
使用するとき、布団台（１）を取り出していた場合はガイド（５）を収納部のストッパー（１０）に乗せリング（６）を丸棒に通し上へ滑らせスライド部へ移動する。布団台（１）をそこに収納していた場合は短支持部（１２）のピンを抜き同じ要領でスライド部へ移動する。布団台（１）を滑らし曲がり部で次第に前へ倒し平らにする。これに布団を広げ日差しのところへ布団台（１）を滑らしピンを差す。複数の布団押さえ（１７）を枠穴（１６）に取り付ける。布団干しが済んだ後は長支持部（１１）のピンを抜き手前に引き寄せ布団押さえ（１７）を外す。布団を取り上げた後、布団台（１）は縦の収納部へ滑らしストッパー（１０）に当ったところで取り出すか、またはそのままそこに収納する。
本案は以上に限らずスライド台（１）はパイプ製でもよく、あるいは断面を鉄道のようなレール状のものでもＴ型などの棒状のものでもよく、上記と同じく収納部の摺動部分はストッパー（１０）からガイド幅より少し上までとする。また、布団台（１）の前傾は補強材（４）下の突き出しを設けずにベース（１９）に固定した取り付け台を上に長くして、これに長支持部（１１）を取り付けてピン穴（１４）に合わしてもよい。布団押さえ（１７）としては目の大きな網を被せてもよい。
【符号の説明】
【０００９】１布団台                              １１長支持部
２スライド台                          １２短支持部
３立て板                              １３ピン穴
４補強材                              １４ピン穴
５ガイド                              １５ピン穴
６リング                              １６枠穴
７ストッパー                          １７布団押さえ
８突起部                              １８ねじ部
９台                                  １９アンカー
１０ストッパー                        ２０壁
【図１】
2014113425.tif 000003
【図２】
2014113425.tif 000004
【図３】
2014113425.tif 000005
【図４】
2014113425.tif 000006
(57)【要約】      （修正有）【課題】スコップ状の器具を使い直接手で触れることなく、災害時などの水がないところでも汚物をポリ袋に収めることができ衛生的で、下痢や生理のときなどにも対応できる器具を提供する。【解決手段】汚物受け具１は股間にスムーズに挿入できる形態であり、その器具に袋のサイドに切欠きの入ったポリ袋２を何枚も重ねて取付け、一枚の袋を下部より脱がせ裏返して汚物を袋詰めすることで、複数回の処理を衛生的に手早く行うことができる。【選択図】図１
2014113427.tif 000002
【特許請求の範囲】
【請求項１】
汚物受け具に袋をかぶせたことを特徴とする汚物受け具。
【請求項２】
前記汚物受け具に袋を複数枚かぶせ、一枚の袋の下部をつまみ、脱がせるようにはがし、裏返した袋の中に汚物を閉じ込めることを特徴とする請求項１記載の汚物受け具。
【発明の詳細な説明】
【技術分野】
【０００１】この発明は、災害時における、汚物処理に関する。
【背景技術】
【０００２】  災害時には、汚物を直接地中に埋めて処理していたが一週間もすれば一杯になりどこを掘ってもでてくるようになり不衛生であった。
【先行技術文献】
【特許文献】
【０００３】
【非特許文献】
【０００４】
【発明の概要】
【発明が解決しようとする課題】
【０００５】  しかしながら、以上の技術によれば、災害時に深い穴を掘り処理することは不可能で小さい穴を多数掘ることで処理をしていた。そのため、同じところを数回掘ることになり不衛生であった。
そこで、この発明は、スコップ状の器具を使い直接手で触れることなく、災害時などの水がないところでも汚物をポリ袋に収めることができ衛生的で、下痢や生理のときなどにも対応できる器具を提供することを課題とする。
【課題を解決するための手段】
【０００６】  以上の課題を解決するために、第一発明は、人間の股間に収まるスコップ状の汚物受け皿を設けたことを特徴とする汚物受け具である。
また、第二発明は、このスコップ状汚物受け具に何枚かの袋を重ねて装着しておき、一枚ずつ袋の下部をつまみ、脱がせるようにめくり上げることで、汚物を裏返した袋の中に綴じ込めて一回分を取り除くことができる。さらに、器具には新たらしい汚物処理袋が自動的に存在することを特徴とする汚物処理具である。
【発明の効果】
【０００７】  第一発明、または第二発明によれば、災害時には何回もの汚物処理に対応出来、汚物に直接手で触れることなく衛生的である。
【図面の簡単な説明】
【０００８】
【図１】この発明の一実施形態を示す斜視図である。
【発明を実施するための形態】
【０００９】  この発明の一実施形態を、図１に示す。
汚物受け具の本体１に、脱がせやすいように袋の両側に深く切れ目を入れたポリ袋２（袋の材質は自由、色は中が見えない物が好ましい。）をかぶせておき、汚物の採取後に袋の下端をつまみ、脱がせるようにめくり上げ袋を裏返して汚物を閉じ込め、袋の口を上部と合わせ結ぶ又はのりで閉じて処理をする。
【００１０】「実施形態の効果」
この実施形態によれば、器具に複数枚のポリ袋を装着し、一枚ずつ脱がせながら使用する為衛生的である。
「他の実施形態」
図１の実施形態では、汚物処理具の材質は特に問わない。さらにその器具にかぶせる袋の材質・色も特定しないものとする。
【符号の説明】
【００１０】１  汚物受け具        ２  ポリ袋
【図１】
2014113427.tif 000003
(57)【要約】【課題】  現存の骨壺の内側には（蓋を固定する為の凹部が本体に、凸部が蓋にある）ほかに構造物は無い、概ね遺体と一緒に火葬された場合、遺品の傷み又は焼失は免れないのが現状である。  本発明は火葬前に事前に遺族又は本人が希望するであろう遺品を用意しておき、お骨上げの時に遺品を収納できるのと、収納忘れを防ぎ遺族の悔みも薄らぐ骨壺を提供する。【解決手段】骨壺の内側に遺品収納ポケットを作りこみ、遺品を無傷のまま収納できる。【選択図】図１
2014113424.tif 000002
【特許請求の範囲】
【請求項１】
骨壺の内側の上部側辺に遺品を収納するためのポケットを設けたことを特徴とする骨壺。
【発明の詳細な説明】
【技術分野】
【０００１】  本発明は骨壺の内側に遺品を収納するポケットを本体の製造初期過程で同一素材により一体に設けた骨壺に関するものである。
【背景技術】
【０００２】  従来、骨壺は“お骨”を入れる様にしか出来ていなかった。
【先行技術文献】
【特許文献】
【０００３】
【特許文献１】特開２００２−２９１８１９号公報
【特許文献２】特開２０００−０９３４１９号公報
【特許文献３】特開２００２−２２４１７８号公報
【発明の概要】
【発明が解決しようとする課題】
【０００４】遺体と遺品を一緒に火葬する事で遺品が傷むか、焼失してしまうのは避けられないのが現状であるのと、納めたい遺品を予め用意する必要があった。
本発明は上記のような問題を解決する為の発明である。
【課題を解決する為の手段】
【０００５】  上記問題点を解決するため本発明は骨壺の内側に遺品を収納するためのポケットを設けたことを特徴とする骨壺で、骨壺の内側にポケットが有ることを事前に遺族に説明し遺体と一緒には火葬せずお骨上げの時に収納出来る旨が伝えられ、遺品を傷めたり焼失することも無い。
【発明の効果】
【０００６】  従来、遺体と一緒に遺品も火葬した場合、遺品が傷んだり、焼失したりしていたが、それらを無傷のまま骨壺に収納が出来るのと遺品の収納忘れを防ぎ、遺族の悔みも薄らぐ。
【図面の簡単な説明】
【０００７】
【図１】本発明の平面図
【図２】本発明の斜視図
【発明を実施するための形態】
【０００８】  以下、本発明の実施形態を説明する。
（イ）従来の骨壺の内側は何もない円筒形の側壁上方（１）骨壺本体に（２）ポケットを製造過程で取り付け、本体と一体に形成する、
本発明は以上のような構造で、これを実際に使用する場合は次のようになる。
本発明を使用する場合は事前に遺族に収納したい遺品を（火葬前に）決めておくように案内出来、葬儀の喧騒にまぎれず、ご本人が希望するであろう遺品の埋葬（収納）忘れを防ぐことができるのが最大の目的である。
【符号の説明】
【０００９】（１）本体
（２）ポケット
【図１】
2014113424.tif 000003
【図２】
2014113424.tif 000004